(57)【要約】【課題】装置の移動を検知でき、保守性がよく、信頼性の高い中継装置、そのデータ処理方法、監視方法、無線通信システム、および管理装置を提供する。【解決手段】小型基地局２００は、無線通信端末の携帯通信網３への無線通信を中継する移動可能な小型基地局２００であって、自装置の周囲に位置する他の基地局２０２からの電波状態を監視する受信レベル取得部２１６と、周囲に位置する他の基地局２０２からの電波状態の変化を検出し、検出された電波状態の変化に基づいて周囲に位置する他の基地局２０２との位置関係の変化を検出する判定部２３２と、検出された基地局２０２との位置関係の変化に基づいて、自装置の設置場所が移動したと推定する判定部２３２と、を備える。【選択図】図２
2010028729.tif 000002
【特許請求の範囲】
【請求項１】
無線通信端末のネットワークへの無線通信を中継する移動可能な中継装置であって、
自装置の周囲に位置する中継装置からの電波状態を監視する監視手段と、
前記周囲に位置する前記中継装置からの前記電波状態の変化を検出し、検出された前記電波状態の前記変化に基づいて前記周囲に位置する前記中継装置との位置関係の変化を検出する検出手段と、
検出された前記中継装置との位置関係の変化に基づいて、自装置の設置場所が移動したと推定する推定手段と、を備える中継装置。
【請求項２】
請求項１に記載の中継装置において、
前記監視手段は、自装置の周囲に位置する前記中継装置からの受信電波レベルを取得する取得部を有し、
取得した前記中継装置からの前記受信電波レベルの履歴を記憶する履歴記憶手段をさらに備え、
前記検出手段は、前記履歴記憶手段に記憶された前記履歴を参照し、前記周囲に位置する前記中継装置からの前記受信電波レベルの変化の傾向に基づいて周囲に位置する前記中継装置との位置関係の変化を検出する中継装置。
【請求項３】
請求項２に記載の中継装置において、
前記検出手段が使用する所定の判定基準を記憶する基準記憶手段を備え、
前記検出手段は、前記中継装置からの前記受信電波レベルの変化が前記所定の判定基準の上限以上から下限以下に前記受信電波レベルが変化した中継装置があるか否かを判定し、変化した前記中継装置があると判定されたとき、当該中継装置が自装置の周囲から消失したと判断し、または、前記判定基準の前記下限以下から前記上限以上に前記受信電波レベルが変化した中継装置があるか否かを判定し、変化した前記中継装置があると判定されたとき、当該中継装置が自装置の周囲に出現したと判断する中継装置。
【請求項４】
請求項３に記載の中継装置において、
前記履歴記憶手段に記憶された前記履歴を参照し、過去の前記中継装置の前記受信電波レベルの変動の傾向に基づいて前記判定基準を算出し、前記基準記憶手段に記憶する算出手段を備える中継装置。
【請求項５】
請求項１乃至４いずれかに記載の中継装置において、
前記ネットワーク上の中継装置を管理する管理装置から、監視対象の中継装置の管理リストを受信するリスト受信手段と、
受信した前記管理リストを記憶するリスト記憶手段と、を備え、
前記監視手段は、前記リスト記憶手段を参照して、前記管理リストに含まれる前記監視対象の前記中継装置の前記電波状態を監視する中継装置。
【請求項６】
請求項１乃至５いずれかに記載の中継装置において、
前記監視手段は、所定のタイミングで前記中継装置からの前記電波状態を監視する中継装置。
【請求項７】
請求項１乃至６いずれかに記載の中継装置において、
前記ネットワーク上の中継装置を管理する管理装置からの監視要求指示を前記ネットワークを介して受信する指示受信手段を備え、
前記監視手段は、受信した前記監視要求指示に呼応して、前記中継装置からの前記電波状態を監視する中継装置。
【請求項８】
請求項２に記載の中継装置において、
前記履歴記憶手段に記憶された前記履歴を参照し、前記中継装置からの前記受信電波レベルの所定期間にわたる移動平均値をそれぞれ算出する移動平均算出手段を備え、
前記検出手段は、算出された前記受信電波レベルの前記移動平均値に基づいて、前記電波状態の変化を検出する中継装置。
【請求項９】
無線通信端末のネットワークへの無線通信を中継する移動可能な中継装置のデータ処理方法であって、
前記中継装置が、
自装置の周囲に位置する中継装置からの電波状態を監視し、
前記周囲に位置する前記中継装置からの前記電波状態の変化を検出し、前記変化に基づいて周囲に位置する前記中継装置との位置関係の変化を検出し、
検出された前記中継装置との位置関係の変化に基づいて、自装置の設置場所が移動したと推定する中継装置のデータ処理方法。
【請求項１０】
無線通信端末のネットワークへの無線通信を中継する移動可能な第１中継装置が、
前記第１中継装置の周囲に位置する第２中継装置からの電波状態を監視し、
前記第２中継装置からの前記電波状態の変化を検出し、検出された前記電波状態の前記変化に基づいて前記第２中継装置との位置関係の変化を検出し、
検出された前記第２中継装置との位置関係の変化に基づいて、前記第１中継装置の設置場所の移動を推定する監視方法。
【請求項１１】
無線通信端末のネットワークへの無線通信を中継する移動可能な第１中継装置と、
前記ネットワーク上の前記第１中継装置および前記第１中継装置の周囲に位置する第２中継装置を管理する管理装置と、を備え、
前記第１中継装置における前記第２中継装置からの電波状態を監視する監視手段と、
前記第２中継装置からの前記電波状態の変化を検出し、検出された前記電波状態の前記変化に基づいて前記第２中継装置との位置関係の変化を検出する検出手段と、
検出された前記第２中継装置との位置関係の変化に基づいて、前記第１中継装置の設置場所が移動したと推定する移動推定手段と、を備える無線通信システム。
【請求項１２】
無線通信端末のネットワークへの無線通信を中継する移動可能な第１中継装置と、
前記ネットワーク上の前記第１中継装置および前記第１中継装置の周囲に位置する第２中継装置を管理する管理装置と、を備え、
前記第１中継装置は、
前記第２中継装置からの電波状態を監視する監視手段と、
前記第２中継装置からの前記電波状態の変化を検出し、検出された前記電波状態の前記変化に基づいて前記第２中継装置との位置関係の変化を検出する検出手段と、
検出された前記第２中継装置との位置関係の変化に基づいて、自装置の設置場所が移動したと推定する推定手段と、
検出された前記第２中継装置との位置関係の変化を通知する通知手段と、を有し、
前記管理装置は、
検出された前記第２中継装置との位置関係の変化の前記通知を前記第１中継装置から受信する受信手段と、
前記第１中継装置から受信した前記通知に基づいて、前記第１中継装置の前記設置場所の移動を判定する移動判定手段と、
前記設置場所が移動したと判定された前記第１中継装置を報知する報知手段と、を有する無線通信システム。
【請求項１３】
請求項１２に記載の無線通信システムにおいて、
前記第１中継装置の前記監視手段は、前記第２中継装置からの受信電波レベルを取得する取得部を有し、
前記第１中継装置は、取得した前記第２中継装置からの前記受信電波レベルの履歴を記憶する履歴記憶手段をさらに備え、
前記第１中継装置の前記検出手段は、前記履歴記憶手段に記憶された前記履歴を参照し、前記第２中継装置からの前記受信電波レベルの変化の傾向に基づいて前記第２中継装置との位置関係の変化を検出する無線通信システム。
【請求項１４】
請求項１３に記載の無線通信システムにおいて、
前記第１中継装置は、前記検出手段が使用する所定の判定基準を記憶する基準記憶手段を備え、
前記第１中継装置の前記検出手段は、前記第２中継装置からの前記受信電波レベルの変化が前記所定の判定基準の上限以上から下限以下に前記受信電波レベルが変化した第２中継装置があるか否かを判定し、変化した前記第２中継装置があると判定されたとき、当該第２中継装置が前記第１中継装置の周囲から消失したと判断し、または、前記判定基準の前記下限以下から前記上限以上に前記受信電波レベルが変化した第２中継装置があるか否かを判定し、変化した前記第２中継装置があると判定されたとき、当該第２中継装置が前記第１中継装置の周囲に出現したと判断する無線通信システム。
【請求項１５】
請求項１４に記載の無線通信システムにおいて、
前記第１中継装置は、前記履歴記憶手段に記憶された前記履歴を参照し、過去の前記第２中継装置の前記受信電波レベルの変動の傾向に基づいて前記判定基準を算出し、前記基準記憶手段に記憶する算出手段を備える無線通信システム。
【請求項１６】
請求項１２乃至１５いずれかに記載の無線通信システムにおいて、
前記第１中継装置は、
前記管理装置から、監視対象の第２中継装置の管理リストを受信するリスト受信手段と、
受信した前記管理リストを記憶するリスト記憶手段と、を備え、
前記第１中継装置の前記監視手段は、前記リスト記憶手段を参照して、前記管理リストに含まれる前記監視対象の前記第２中継装置の前記電波状態を監視する無線通信システム。
【請求項１７】
請求項１２乃至１６いずれかに記載の無線通信システムにおいて、
前記第１中継装置の前記監視手段は、所定のタイミングで前記第２中継装置からの前記電波状態を監視する無線通信システム。
【請求項１８】
請求項１２乃至１７いずれかに記載の無線通信システムにおいて、
前記管理装置は、
前記第１中継装置から、前記通知を受信したとき、当該第１中継装置に、前記第２中継装置の監視を指示する所定のタイミングで所定回数、監視要求指示を送信する監視要求手段と、
前記通知に含まれる前記位置関係に変化があった第２中継装置からの受信電波レベルを取得し、判断基準として記憶する基準記憶手段と、を有し、
前記第１中継装置は、前記管理装置から前記監視要求指示を前記ネットワークを介して受信する指示受信手段を備え、
前記第１中継装置の前記監視手段は、受信した前記監視要求指示に呼応して、前記第２中継装置からの前記電波状態を監視し、
前記管理装置の前記移動判定手段は、前記所定回数連続して、前記受信電波レベルが前記判断基準以内であると判断されたとき、前記第２中継装置の前記設置場所が移動したと判定する無線通信システム。
【請求項１９】
請求項１３に記載の無線通信システムにおいて、
前記第１中継装置は、前記履歴記憶手段に記憶された前記履歴を参照し、前記第２中継装置からの前記受信電波レベルの所定期間にわたる移動平均値をそれぞれ算出する移動平均算出手段を備え、
前記第１中継装置の前記検出手段は、算出された前記受信電波レベルの前記移動平均値に基づいて、前記電波状態の変化を検出する無線通信システム。
【請求項２０】
無線通信端末のネットワークへの無線通信を中継する移動可能な第１中継装置、および前記第１中継装置の周囲に位置する第２中継装置を管理する管理装置であって、
前記第２中継装置との位置関係の変化の通知を前記第１中継装置から受信する受信手段と、
前記第１中継装置から受信した前記通知に基づいて、前記第１中継装置の設置場所の移動を判定する移動判定手段と、
前記設置場所が移動したと判定された前記第１中継装置を報知する報知手段と、を備える管理装置。
【請求項２１】
請求項２０に記載の管理装置において、
前記第１中継装置から前記通知を受信したとき、当該第１中継装置に、前記第２中継装置の監視を指示する所定のタイミングで所定回数、監視要求指示を送信する監視要求手段と、
前記通知に含まれる前記位置関係に変化があった第２中継装置からの受信電波レベルを取得し、判断基準として記憶する基準記憶手段と、を有し、
前記移動判定手段は、前記所定回数連続して、前記受信電波レベルが前記判断基準以内であると判断されたとき、前記第２中継装置の前記設置場所が移動したと判定する管理装置。
する管理装置。
【請求項２２】
請求項２１に記載の管理装置において、
前記第１中継装置から、前記第１中継装置が探索した周囲の第２中継装置の情報リストを受信するリスト受信手段と、
前記第１中継装置が監視すべき監視対象の第２中継装置の管理リストを記憶するリスト記憶手段と、
前記情報リストに基づいて、前記第１中継装置が監視すべき監視対象の第２中継装置を決定する決定手段と、
決定された前記監視対象の前記第２中継装置を含むリストを作成し、前記リスト記憶手段に記憶された前記管理リストを更新する管理リスト作成手段と、
前記リスト記憶手段に記憶された前記管理リストを前記第１中継装置に前記ネットワークを介して送信するリスト送信手段と、を備える管理装置。
【請求項２３】
請求項２２に記載の管理装置において、
前記第１中継装置から受信した前記通知に基づいて、前記位置関係に変化があった前記第２中継装置について、出現した第２中継装置は前記管理リストに追加し、消失した第２中継装置は前記管理リストから削除する管理リスト更新手段を備える管理装置。
【請求項２４】
コンピュータに、無線通信端末のネットワークへの無線通信を中継する移動可能な中継装置を実現させるためのコンピュータプログラムであって、
コンピュータを、
自装置の周囲に位置する中継装置からの電波状態を監視する監視手段と、
前記周囲に位置する前記中継装置からの前記電波状態の変化を検出し、前記変化に基づいて前記周囲に位置する前記中継装置との位置関係の変化を検出する検出手段と、
検出された前記中継装置との位置関係の変化に基づいて、自装置の設置場所が移動したと推定する推定手段と、として機能させるためのコンピュータプログラム。
【請求項２５】
コンピュータに、無線通信端末のネットワークへの無線通信を中継する第１中継装置、および前記第１中継装置の周囲に位置する第２中継装置を管理する管理装置を実現させるためのコンピュータプログラムであって、
コンピュータを、
前記第２中継装置との位置関係の変化の通知を前記第１中継装置から受信する受信手段と、
前記第１中継装置から受信した前記通知に基づいて、前記第１中継装置の設置場所の移動を判定する移動判定手段と、
前記設置場所が移動したと判定された前記第１中継装置を報知する報知手段と、として機能させるためのコンピュータプログラム。
【発明の詳細な説明】
【技術分野】
【０００１】
本発明は、中継装置、そのデータ処理方法、監視方法、無線通信システム、および管理装置に関し、とくに、無線通信端末の無線通信を中継する移動可能な中継装置、そのデータ処理方法、監視方法、無線通信システム、および管理装置、に関する。
【背景技術】
【０００２】
近年、電話や電子メール、遠隔会議などの様々なコミュニケーション手段を用いて、多様な端末同士を接続するユビキタスネットワークが実用化に向けて開発されている。無線ＬＡＮシステムは、場所を選ばない端末との接続や、接続点数に限定されない自由度の高い端末数の収容が可能であることから、ユビキタスネットワークの実用化には欠かせない技術である。
【０００３】
無線ＬＡＮシステムにおける相互の干渉を回避する無線ＬＡＮアクセスポイントの一例が特許文献１に記載されている。また、無線通信機能を有するセンサ装置の設置場所の自由度を向上して、環境に合わせた適切な制御を行える空調管理システムが特許文献２に記載されている。
【特許文献１】特開２００４−１８００３７号公報
【特許文献２】特開平６−２６５１９１号公報
【特許文献３】特開２０００−３２０６９号公報
【非特許文献１】総務省総合通信基盤局、“フェムトセル基地局の活用に向けた電波法及び電気通信事業法関係法令に関する取扱方針”、［online］、平成２０年４月１７日、総務省報道資料、インターネット＜URL：http://www.soumu.go.jp/s-news/2008/pdf/080417_2_bs1.pdf＞
【発明の開示】
【発明が解決しようとする課題】
【０００４】
ところで、たとえば、オフィスや作業現場のレイアウト変更や、人の移動など企業において日常的に発生する事柄が、電波伝搬環境やトラフィック状況を変化させ、無線ＬＡＮの通信性能に影響を与える。また、無線ＬＡＮアクセスポイントなどの中継装置の小型化が進み、中継装置自身を容易に移動することもできる。このため、無線ＬＡＮは、運用とともにシステム条件が変化し続ける可能性が高く、変化に伴い、無線通信の通信品質を確保できなくなってしまったり、通信効率にばらつきが生じたりする可能性もある。
【０００５】
中継装置の移動、レイアウト変更に伴う電波伝搬環境の変化は、電波伝搬の視点で捉えれば、中継装置の位置関係の変化と捉えることができる。中継装置の移動では、中継装置間の物理的な距離に依存する電波伝搬損失の変化が生じる。また、レイアウト変更のような電波伝搬環境の変化は、中継装置の物理的な移動は伴わないものの、中継局間での受信電波レベルの変化が発生し、等価的に中継装置間の位置関係が変化したことと同値である。
【０００６】
このように、無線ＬＡＮなどの無線通信システムでは、常に変化し続ける様々なシステム条件に対応しながら、通信品質を最適な状態に維持できる接続性を維持できるように管理されることが望まれる。また、中継装置が人為的に移動されてしまったような場合には、保守点検時に探し出すのに手間取り、対応が遅れてしまうため、移動が生じた時点での通知が望まれる。例えば、多数の中継装置を遠隔監視するようなとき、監視する場所と中継装置の設置場所が離れているような場合には、位置関係の変化を迅速に把握できないという問題点があった。
【０００７】
また、近年、所謂フェムトセル基地局と呼ばれる携帯電話等の小型無線基地局が実用化に向けて開発されている。この小型無線基地局は、たとえば、個人ユーザが装置を購入して、予め届け出た所在地における屋内において、自由に設置して無線基地局を開設できるようにする方針で検討が進められている（非特許文献１）。これにより、従来電波が届かなかったような地下でも、小型無線基地局を利用することで携帯電話の利用が可能になる。
【０００８】
１１０番などの緊急通報を無線通信端末から行う場合には、その緊急通報の発信場所が明確になるように、無線通信端末が位置登録された基地局の場所を特定させるために、小型無線基地局は、使用前に携帯電話キャリアに設置場所の住所を登録手続きする必要が生じると考えられる。しかしながら、小型無線基地局を個人ユーザが購入して設置した場合、将来的に転居をしたときに、住所変更の届け出が確実には行われない場合が想定されるといった問題点がある。このため、基地局の移動を検知できることが望まれる。
【０００９】
本発明の目的は、上述した課題を解決する中継装置、無線通信システム、管理装置、中継装置のデータ処理方法、および監視方法を提供することにある。
【課題を解決するための手段】
【００１０】
本発明の中継装置は、無線通信端末のネットワークへの無線通信を中継する移動可能な中継装置であって、
自装置の周囲に位置する中継装置からの電波状態を監視する監視手段と、
前記周囲に位置する前記中継装置からの前記電波状態の変化を検出し、検出された前記電波状態の前記変化に基づいて前記周囲に位置する前記中継装置との位置関係の変化を検出する検出手段と、
検出された前記中継装置との位置関係の変化に基づいて、自装置の設置場所が移動したと推定する推定手段と、を備える。
【００１１】
本発明の中継装置のデータ処理方法は、無線通信端末のネットワークへの無線通信を中継する移動可能な中継装置のデータ処理方法であって、
前記中継装置が、
自装置の周囲に位置する中継装置からの電波状態を監視し、
前記周囲に位置する前記中継装置からの前記電波状態の変化を検出し、前記変化に基づいて周囲に位置する前記中継装置との位置関係の変化を検出し、
検出された前記中継装置との位置関係の変化に基づいて、自装置の設置場所が移動したと推定する。
【００１２】
本発明の監視方法は、無線通信端末のネットワークへの無線通信を中継する移動可能な第１中継装置が、
前記第１中継装置の周囲に位置する第２中継装置からの電波状態を監視し、
前記第２中継装置からの前記電波状態の変化を検出し、検出された前記電波状態の前記変化に基づいて前記第２中継装置との位置関係の変化を検出し、
検出された前記第２中継装置との位置関係の変化に基づいて、前記第１中継装置の設置場所の移動を推定する。
【００１３】
本発明の無線通信システムは、無線通信端末のネットワークへの無線通信を中継する移動可能な第１中継装置と、
前記ネットワーク上の前記第１中継装置および前記第１中継装置の周囲に位置する第２中継装置を管理する管理装置と、を備え、
前記第１中継装置における前記第２中継装置からの電波状態を監視する監視手段と、
前記第２中継装置からの前記電波状態の変化を検出し、検出された前記電波状態の前記変化に基づいて前記第２中継装置との位置関係の変化を検出する検出手段と、
検出された前記第２中継装置との位置関係に基づいて、前記第１中継装置の設置場所が移動したと推定する移動推定手段と、を備える。
【００１４】
本発明の無線通信システムは、無線通信端末のネットワークへの無線通信を中継する移動可能な第１中継装置と、
前記ネットワーク上の前記第１中継装置および前記第１中継装置の周囲に位置する第２中継装置を管理する管理装置と、を備え、
前記第１中継装置は、
前記第２中継装置からの電波状態を監視する監視手段と、
前記第２中継装置からの前記電波状態の変化を検出し、検出された前記電波状態の前記変化に基づいて前記第２中継装置との位置関係の変化を検出する検出手段と、
検出された前記第２中継装置との位置関係の変化に基づいて、自装置の設置場所が移動したと推定する推定手段と、
検出された前記第２中継装置との位置関係の変化を通知する通知手段と、を有し、
前記管理装置は、
検出された前記第２中継装置との位置関係の変化の前記通知を前記第１中継装置から受信する受信手段と、
前記第１中継装置から受信した前記通知に基づいて、前記第１中継装置の前記設置場所の移動を判定する移動判定手段と、
前記設置場所が移動したと判定された前記第１中継装置を報知する報知手段と、を有する。
【００１５】
本発明の管理装置は、無線通信端末のネットワークへの無線通信を中継する移動可能な第１中継装置、および前記第１中継装置の周囲に位置する第２中継装置を管理する管理装置であって、
前記第２中継装置との位置関係の変化の通知を前記第１中継装置から受信する受信手段と、
前記第１中継装置から受信した前記通知に基づいて、前記第１中継装置の前記設置場所の移動を判定する移動判定手段と、
前記設置場所が移動したと判定された前記第１中継装置を報知する報知手段と、を備える。
【００１６】
本発明のコンピュータプログラムは、コンピュータに、無線通信端末のネットワークへの無線通信を中継する移動可能な中継装置を実現させるためのコンピュータプログラムであって、
コンピュータを、
自装置の周囲に位置する中継装置からの電波状態を監視する監視手段と、
前記周囲に位置する前記中継装置からの前記電波状態の変化を検出し、前記変化に基づいて前記周囲に位置する前記中継装置との位置関係の変化を検出する検出手段と、
検出された前記中継装置との位置関係の変化に基づいて、自装置の設置場所が移動したと推定する推定手段と、として機能させる。
【００１７】
本発明のコンピュータプログラムは、コンピュータに、無線通信端末のネットワークへの無線通信を中継する第１中継装置、および前記第１中継装置の周囲に位置する第２中継装置を管理する管理装置を実現させるためのコンピュータプログラムであって、
コンピュータを、
前記第２中継装置との位置関係の変化の通知を前記第１中継装置から受信する受信手段と、
前記第１中継装置から受信した前記通知に基づいて、前記第１中継装置の前記設置場所の移動を判定する移動判定手段と、
前記設置場所が移動したと判定された前記第１中継装置を報知する報知手段と、として機能させる。
【００１８】
なお、以上の構成要素の任意の組合せ、本発明の表現を方法、装置、システム、記録媒体、コンピュータプログラムなどの間で変換したものもまた、本発明の態様として有効である。
【００１９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２０】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障しない範囲で変更することができる。
【００２１】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００２２】
本発明によれば、装置の移動を検知でき、保守性がよく、信頼性の高い中継装置、そのデータ処理方法、監視方法、無線通信システム、および管理装置が提供される。
【発明を実施するための最良の形態】
【００２３】
（第１の実施の形態）
以下、本発明の実施の形態について、図面を用いて説明する。尚、すべての図面において、同様な構成要素には同様の符号を付し、適宜説明を省略する。
【００２４】
図１は、本発明の実施の形態に係る無線通信システム１の構成を示すブロック図である。本実施形態の無線通信システム１は、無線通信端末（不図示）のネットワークである携帯通信網３への無線通信を中継する移動可能な第１中継装置（小型基地局２００）と、携帯通信網３上の小型基地局２００および第２中継装置（基地局２０２）を管理する管理装置（管理サーバ１００）と、を備える。
【００２５】
本実施形態の無線通信システム１におけるネットワークの監視方法は、無線通信端末の携帯通信網３への無線通信を中継する移動可能な小型基地局２００が、小型基地局２００の周囲に位置する基地局２０２からの電波状態を監視し、基地局２０２からの電波状態の変化を検出し、検出された電波状態の変化に基づいて基地局２０２との位置関係の変化を検出し、検出された基地局２０２との位置関係の変化に基づいて、小型基地局２００の設置場所の移動を推定する。
【００２６】
ここで、電波状態とは、たとえば、相手の基地局２０２から受信した電波のレベルや遅延歪みなどを含む。遅延歪みは、反射などで電波伝搬経路が異なり、到達時間差が生じる電波が合成されて受信されて生じる歪である。この歪の推定値は、例えば、特許文献３に示されるように、既知のプリアンブル信号と実際の受信信号の相互相関から推定される通信路インパルスレスポンスから求めることができる。本実施形態では、受信信号レベルなどの受信電波レベルにより電波状態の変化を検出する場合について説明する。
【００２７】
また、基地局２０２との位置関係の変化とは、後述するが、たとえば、小型基地局２００の周囲の基地局２０２の出現または消失の変化である。
【００２８】
詳細には、無線通信システム１は、建物５の中で使用が許可される小型基地局２００と、基地局２０２と、管理サーバ１００と、記憶装置１０２と、管理端末１０４と、を備える。
【００２９】
なお、以下の各図において、本発明の本質に関わらない部分の構成については省略してあり、図示されていない。
【００３０】
また、無線通信システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００３１】
本発明において、無線通信端末は、たとえば、携帯電話機、ＰＨＳ（Personal Handyphone System）、無線ＬＡＮ（Local Area Network）端末、ＰＣ（Personal Computer）、ＰＤＡ（Personal Digital Assistant）、インターネットに接続可能なテレビ受像機やゲーム機等であり、無線通信を行い、各種のネットワークに接続可能な端末であれば、特に限定されない。ネットワークは、たとえば、携帯通信網、ＬＡＮ、ＷＡＮ（Wide Area Network）、インターネットなどである。本発明の無線通信端末は、利用エリアの中継装置、たとえば、携帯電話の基地局や無線ＬＡＮアクセスポイントなど、と無線通信し、中継装置を経由してネットワークに接続することができる。
【００３２】
本発明の中継装置（小型基地局２００および基地局２０２）は、各種無線通信端末が接続する各種のネットワークにそれぞれ対応した中継装置とすることができる。たとえば、無線通信端末が携帯電話機であり携帯通信網に接続する場合、小型基地局２００は移動可能な小型無線基地局、たとえば、所謂フェムトセル基地局であり、基地局２０２は屋外設置の基地局であり、無線通信端末が無線ＬＡＮ端末であり無線ＬＡＮに接続する場合、小型基地局２００や基地局２０２は無線ＬＡＮアクセスポイントとすることができる。
【００３３】
図２は、本発明の実施の形態に係る小型基地局の構成を示す機能ブロック図である。
【００３４】
本発明の実施の形態に係る中継装置（小型基地局２００）は、無線通信端末の携帯通信網３への無線通信を中継する移動可能な小型基地局２００であって、自装置の周囲に位置する基地局２０２からの電波状態を監視する監視部（受信レベル取得部２１６）と、周囲に位置する基地局２０２からの電波状態の変化を検出し、検出された電波状態の変化に基づいて周囲に位置する基地局２０２との位置関係の変化を検出する検出部（判定部２３２）と、検出された基地局２０２との位置関係の変化に基づいて、自装置の設置場所が移動したと推定する推定部（判定部２３２）と、を備える。
【００３５】
具体的には、小型基地局２００は、アンテナ２１０と、無線通信部２１２と、タイマ２１４と、受信レベル取得部２１６と、レベル記憶部２１８と、指示受信部２１９と、インタフェース部（Ｉ／Ｆ）２２０と、リスト送受信部２２２と、リスト記憶部２２４と、基準値記憶部２３０と、判定部２３２と、通知部２３４と、を有する。
【００３６】
無線通信部２１２は、アンテナ２１０を介して無線携帯端末（不図示）および基地局２０２と無線通信を行う。タイマ２１４は、時間を計時し、予め設定された時刻や時間間隔を通知する。本実施形態では、受信レベル取得部２１６に電波レベルの監視タイミングを所定の時間間隔で通知する。
【００３７】
受信レベル取得部２１６は、電源投入時やタイマ２１４から通知される所定の監視タイミングで、無線通信部２１２が受信した他の基地局２０２からの電波状態を監視し、たとえば、各基地局２０２の電波レベルを取得し、電波に含まれる各基地局２０２の識別情報に関連付けてレベル記憶部２１８に記憶する。レベル記憶部２１８は、各基地局２０２から受信した電波レベルの履歴を記憶する。
【００３８】
また、小型基地局２００の電源投入時や管理サーバ１００から監視要求があった場合にも、受信レベル取得部２１６は、周囲の基地局２０２を探索し、受信した電波レベルを取得し、レベル記憶部２１８に記憶する。
【００３９】
また、小型基地局２００の電源投入時に、受信レベル取得部２１６は、周囲の基地局２０２を探索し、受信した電波レベルを取得し、電波レベルが所定値以上の基地局２０２、または、電波レベルの強度の強い順に所定数の基地局２０２を基地局リストに含めて作成し、リスト記憶部２２４に記憶する。
【００４０】
さらに、指示受信部２１９は、管理サーバ１００からの監視要求指示を携帯通信網３を介して受信する。受信レベル取得部２１６は、受信した監視要求指示に呼応して、基地局２０２からの前記電波状態を監視する。
【００４１】
インタフェース部２２０は、携帯通信網３に接続し、管理サーバ１００等の携帯通信網３上の機器と通信する。リスト送受信部２２２は、リスト記憶部２２４に記憶された基地局リストを携帯通信網３を介して管理サーバ１００に送信する。
【００４２】
さらに、リスト送受信部２２２は、携帯通信網３上の小型基地局２００および基地局２０２を管理する管理サーバ１００から、インタフェース部２２０を介して監視対象の基地局２０２の管理リストを受信する。リスト記憶部２２４は、リスト送受信部２２２が受信した管理リストを記憶する。受信レベル取得部２１６は、リスト記憶部２２４を参照して、管理リストに含まれる監視対象の基地局２０２の電波状態を監視する。
【００４３】
本実施形態の小型基地局２００において、判定部２３２が使用する所定の判定基準を記憶する基準記憶部（基準値記憶部２３０）を備え、判定部２３２は、基地局２０２からの受信電波レベルの変化が所定の判定基準の上限以上から下限以下に受信電波レベルが変化した基地局２０２があるか否かを判定し、変化した基地局２０２があると判定されたとき、当該基地局２０２が自装置の周囲から消失したと判断し、または、判定基準の下限以下から上限以上に受信電波レベルが変化した基地局２０２があるか否かを判定し、変化した基地局２０２があると判定されたとき、当該基地局２０２が自装置の周囲に出現したと判断する。
【００４４】
本実施形態において、判定部２３２は、リスト記憶部２２４を参照して、管理リストに含まれる監視対象の基地局２０２の電波状態に基づいて判定する。
【００４５】
本実施形態において、受信レベル取得部２１６は、自装置の周囲に位置する基地局２０２からの受信電波レベルを取得し、レベル記憶部２１８は、取得した基地局２０２からの受信電波レベルの履歴を記憶する。判定部２３２は、レベル記憶部２１８に記憶された履歴を参照し、周囲に位置する基地局２０２からの受信電波レベルの変化の傾向に基づいて周囲に位置する基地局２０２との位置関係の変化を検出する。
【００４６】
判定部２３２は、周囲に位置する基地局２０２との位置関係の変化を検出したとき、自装置の設置場所が移動したと推定し、通知部２３４に自装置の設置場所の移動を通知させるために必要な情報を伝達する。
【００４７】
たとえば、レベル記憶部２１８に記憶された履歴を参照し、過去の基地局２０２の受信電波レベルの変動の傾向に基づいて判定基準を算出し、基準値記憶部２３０に記憶する算出部（不図示）と、を備えることができる。
【００４８】
そして、レベル記憶部２１８に記憶された履歴を参照し、基地局２０２からの受信電波レベルの所定期間にわたる移動平均値をそれぞれ算出する移動平均算出部（不図示）を備えることができ、判定部２３２は、算出された受信電波レベルの移動平均値に基づいて、電波状態の変化を検出することができる。
【００４９】
通知部２３４は、判定部２３２により電波状態の変化が検知されたとき、検知された基地局２０２の情報を通知情報として作成し、インタフェース部２２０を介して管理サーバ１００に通知する。後述するように、管理サーバ１００ではこの通知情報に基づいて小型基地局２００の設置場所の移動を判断するが、実質的には、この通知情報が自装置の設置場所の移動の通知となる。
【００５０】
例として、受信レベル取得部２１６は、取得した基地局２０２の電波レベルのうち、管理リストに含まれる監視対象の基地局２０２の電波レベルについてのみレベル記憶部２１８に記憶する。判定部２３２は、たとえば、過去の所定回数の、特に限定されないがここでは５回とする、電波レベルの監視結果の平均値を算出し、過去の平均値が判定基準の範囲内か否かを判定するともに、現在の電波レベルの監視結果が判定基準の範囲内か否かを判定する。
【００５１】
本実施形態では、過去の平均値が判定基準の下限以下、たとえば、−９０ｄＢｍ以下で、かつ、現在の電波レベルが判定基準の上限以上、たとえば、−７０ｄＢｍ以上の場合、その基地局２０２は、新たに出現したと判断される。一方、過去の平均値が判定基準の上限以上、たとえば、−７０ｄＢｍ以上で、かつ、現在の電波レベルが判定基準の下限以下、たとえば、−９０ｄＢｍ以下の場合、その基地局２０２は、消失したと判断される。
【００５２】
そして、通知部２３４は、出現または消失したと判断された基地局２０２と、現在の受信電波レベルを通知情報に含め、管理サーバ１００に送信する。
【００５３】
本実施形態の小型基地局２００は、メモリ（不図示）に実装されているコンピュータプログラムに対応して各種の処理動作を制御部（不図示）実行することにより、前述のような各種ユニット２１０〜２３４が各種機能として実現される。
【００５４】
本実施形態のコンピュータプログラムは、コンピュータ（不図示）に、無線通信端末の携帯通信網３への無線通信を中継する移動可能な小型基地局２００を実現させるためのコンピュータプログラムであって、コンピュータを、自装置の周囲に位置する基地局２０２からの電波状態を監視する監視手段（受信レベル取得部２１６）と、周囲に位置する基地局２０２からの電波状態の変化を検出し、変化に基づいて周囲に位置する基地局２０２との位置関係の変化を検出する検出手段（判定部２３２）と、検出された基地局２０２との位置関係の変化に基づいて、自装置の設置場所が移動したと推定する推定部（判定部２３２）と、として機能させるように記述されている。
【００５５】
管理サーバ１００は、サーバコンピュータであり、図示されない制御部、記憶部、表示部、操作部、通信部、音声入出力部、および印字出力部等を有する。記憶装置１０２は、管理サーバ１００に接続される。管理サーバ１００が、記憶装置１０２に各種のデータを記憶するとともに、記憶されたデータにアクセスして動作する。後述する管理サーバ１００の各種の記憶部は、記憶装置１０２に含むことができる。
【００５６】
管理端末１０４は、特に限定されないが、たとえば、ＰＣであり、携帯通信網３の管理者などのユーザが利用するユーザ端末である。管理端末１０４は、図示されない制御部、記憶部、表示部、操作部、通信部、音声入出力部、および印字出力部等を有する。後述する管理サーバ１００における判定基準などの各種の設定は、管理端末１０４を用いてシステム管理者などのユーザが変更操作することができる。
【００５７】
図３は、図１の無線通信システム１の管理サーバ１００の構成を示す機能ブロック図である。
本実施形態の管理サーバ１００は、無線通信端末の携帯通信網３への無線通信を中継する移動可能な第１中継装置（小型基地局２００）、および小型基地局２００の周囲に位置する第２中継装置（基地局２０２）を管理する管理装置（管理サーバ１００）であって、基地局２０２との位置関係の変化の通知を小型基地局２００から受信する受信部（通知情報受信部１６０）と、小型基地局２００から受信した通知に基づいて、小型基地局２００の設置場所の移動を判定する移動判定部１６２と、設置場所が移動したと判定された小型基地局２００を報知する報知部１６４と、を備える。
【００５８】
本実施形態において、小型基地局２００の設置場所の移動とは、たとえば、同じ部屋の中での設置場所の移動などだけでなく、小型基地局２００の設置場所の住所などが変更になる程度の移動も含む。
【００５９】
具体的には、管理サーバ１００は、インタフェース（Ｉ／Ｆ）部１５０と、基地局リスト受信部１５２と、管理リスト作成部１５４と、管理リスト記憶部１５６と、管理リスト送信部１５８と、通知情報受信部１６０と、判定情報記憶部１６１と、移動判定部１６２と、報知部１６４と、を含む。
【００６０】
インタフェース部１５０は、携帯通信網３を介して小型基地局２００（図１）および基地局２０２（図１）と通信する。基地局リスト受信部１５２は、小型基地局２００から、小型基地局２００が探索した周囲の他の基地局２０２を含む基地局リストを受信する。管理リスト記憶部１５６は、小型基地局２００が監視すべき監視対象の小型基地局２００の管理リストを記憶する。管理リスト作成部１５４は、基地局リストに基づいて、小型基地局２００が監視すべき監視対象の他の基地局２０２を決定するとともに、決定された監視対象の他の基地局２０２を含むリストを作成し、管理リスト記憶部１５６に記憶された管理リストを更新する。管理リスト送信部１５８は、管理リスト記憶部１５６に記憶された管理リストを小型基地局２００に携帯通信網３を介して送信する。
【００６１】
本実施形態では、たとえば、小型基地局２００の管理リストが存在しない場合は、小型基地局２００から送信された基地局リストを管理リストとする。一方、既に小型基地局２００の管理リストが存在する場合、既に管理リスト記憶部１５６に記憶されている小型基地局２００の管理リストに含まれる監視対象の基地局２０２の情報と、新たに小型基地局２００から送信された基地局リストに含まれる基地局２０２の情報とを比較する。互いの基地局２０２の情報が異なる場合、管理リスト作成部１５４は、既に存在する管理リストに含まれる基地局２０２に、新たに基地局リストに含まれる基地局２０２を追加して管理リストを作成する。
【００６２】
通知情報受信部１６０は、小型基地局２００から設置場所の移動の通知情報をインタフェース部１５０を介して受信する。移動判定部１６２は、小型基地局２００から受信した通知情報に従って、たとえば、出現または消失した基地局２０２が含まれるか否かを確認し、出現または消失した基地局２０２が含まれる場合、小型基地局２００の設置場所が移動したと判定する。
【００６３】
また、管理リスト作成部１５４は、小型基地局２００から受信した通知に基づいて、位置関係に変化があった基地局２０２について、出現した基地局２０２は管理リストに追加し、消失した基地局２０２は管理リストから削除する。
【００６４】
本実施形態では、通知情報受信部１６０が他の基地局２０２の出現または消失の通知を受信したとき、当該基地局２０２の監視を行うよう小型基地局２００に監視要求指示をインタフェース部１５０を介して送信する。そして、所定回数、たとえば、５回、小型基地局２００から基地局２０２の監視結果の通知情報を受信する。出現または消失と判断された時点の基地局２０２の受信電波レベルを基準として、判定情報記憶部１６１に記憶し、所定回数連続して、基準の電波レベルのたとえば、±５ｄＢｍ以内であれば、小型基地局２００が移動したと判定し、判定結果を報知部１６４に出力する。
【００６５】
また、移動判定部１６２は、小型基地局２００の移動を検出した後、出現した基地局２０２を管理リストに追加し、消失した基地局２０２を管理リストから削除して、小型基地局２００に送信するよう管理リスト作成部１５４に指示する。
【００６６】
報知部１６４は、移動判定部１６２の判定結果に従い、小型基地局２００の設置場所の移動を報知する。あるいは、報知部１６４は、小型基地局２００の設置場所の移動の報知とともに、各小型基地局２００が監視している基地局２０２の電波状態を報知してもよい。
【００６７】
報知部１６４は、様々な手段で携帯通信網３の管理者に小型基地局２００の設置場所の移動を携帯通信網３の管理者に報知することができる。たとえば、報知部１６４は、管理サーバ１００や管理端末１０４のモニタ（不図示）などの表示部に報知メッセージや各小型基地局２００や基地局２０２の状態リスト、設置フロア図面上に位置関係が変化したアクセスポイントのアイコン変化などを表示してもよいし、ＬＥＤ表示部（不図示）などを点灯または点滅させてもよい。あるいは、管理サーバ１００や管理端末１０４に接続された音声出力部（不図示）から報知メッセージの音声またはアラーム音を出力させてもよいし、プリンタ（不図示）などの印字出力部にメッセージや各小型基地局２００の状態リストなどを印字出力させてもよいし、所定のメールアドレスや端末（不図示）に報知メッセージや各小型基地局２００の状態を記述したメッセージを送信してもよい。
【００６８】
本実施の形態の管理サーバ１００は、メモリ（不図示）上に実装されているコンピュータプログラムに対応して各種の処理動作を実行することにより、前述のような各種ユニット１５０〜１６４が各種機能として実現されている。
【００６９】
本実施形態のコンピュータプログラムは、コンピュータ（不図示）に、無線通信端末の携帯通信網３への無線通信を中継する小型基地局２００、および小型基地局２００の周囲に位置する他の基地局２０２を管理する管理サーバ１００を実現させるためのコンピュータプログラムであって、コンピュータを、基地局２０２との位置関係の変化の通知を２００から受信する受信手段（通知情報受信部１６０）と、小型基地局２００から受信した通知に基づいて、小型基地局２００の設置場所の移動を判定する移動判定手段（移動判定部１６２）と、設置場所が移動したと判定された小型基地局２００を報知する報知手段（報知部１６４）と、として機能させるように記述されている。
【００７０】
このように構成された本実施形態の無線通信システム１の動作について以下に説明する。図４は、本実施形態の無線通信システム１の小型基地局２００の電源投入時の動作の一例を示すフローチャートである。以下、図１〜図４を用いて説明する。
【００７１】
具体的には、まず、小型基地局２００において、電源投入時に、自装置の初期設定を行い、受信レベル取得部２１６が、周囲の基地局２０２を探索する（ステップＳ１０１）。そして、受信した電波レベルを取得し、電波レベルが所定値以上の基地局２０２を基地局リストに含めて作成し、リスト記憶部２２４に記憶する（ステップＳ１０３）。そして、リスト送受信部２２２が、リスト記憶部２２４に記憶されている基地局リストをインタフェース部２２０を介して管理サーバ１００に送信する（ステップＳ１０５）。
【００７２】
その後、管理サーバ１００からリスト送受信部２２２が管理リストを受信し（ステップＳ１０７のＹＥＳ）、リスト記憶部２２４に記憶する（ステップＳ１０９）。
【００７３】
こうして監視対象の基地局２０２が限定すると、小型基地局２００は、監視動作を監視する。図５は、図１の無線通信システム１の小型基地局２００の監視動作の一例を示すフローチャートである。
【００７４】
本実施形態の小型基地局２００のデータ処理方法は、無線通信端末の携帯通信網３への無線通信を中継する移動可能な小型基地局２００のデータ処理方法であって、小型基地局２００が、自装置の周囲に位置する基地局２０２からの電波状態を監視し（ステップＳ１１３）、周囲に位置する基地局２０２からの電波状態の変化を検出し（ステップＳ１１７）、変化に基づいて周囲に位置する基地局２０２との位置関係の変化を検出し、検出された基地局２０２との位置関係の変化に基づいて、自装置の設置場所が移動したと推定する。
【００７５】
具体的には、受信レベル取得部２１６は、タイマ２１４からの監視タイミングの通知または管理サーバ１００から監視要求指示を指示受信部が受信したとき（ステップＳ１１１のＹＥＳ）、他の基地局２０２からの受信電波レベルを取得する（ステップＳ１１３）。このとき、受信レベル取得部２１６は、リスト記憶部２２４の管理リストを参照し、監視対象の基地局２０２の電波レベルのみ取得し、レベル記憶部２１８に各基地局２０２の識別情報に関連付けて記録し、判定部２３２が、電波レベルの履歴から過去５回の平均値を算出する（ステップＳ１１５）。
【００７６】
さらに、判定部２３２は、各基地局２０２の現在の電波レベルと過去の平均値の変動が所定の判定基準の範囲内か否かを区別する（ステップＳ１１７）。範囲内の場合は（ステップＳ１１７のＹＥＳ）、監視動作を終了する。一方、範囲外の場合は（ステップＳ１１７のＮＯ）、通知部２３４は通知情報を作成する（ステップＳ１１９）。たとえば、過去の平均値が−９０ｄＢｍ以下で、かつ現在の電波レベルが−７０ｄＢｍ以上の場合、判定部２３２は、当該基地局２０２が出現したと判別し、通知部２３４は、当該基地局２０２の出現と、その電波レベルを通知情報に含めて作成する。あるいは、過去の平均値が−７０ｄＢｍ以上かつ現在の電波レベルが−９０ｄＢｍ以下の場合、当該基地局２０２が消失したと判別と、通知部２３４は、当該基地局２０２の消失と、その電波レベルを通知情報に含めて作成する。
【００７７】
通知部２３４は、通知情報を管理サーバ１００にインタフェース部２２０を介して送信する（ステップＳ１２１）。
【００７８】
次に、本実施形態の管理サーバ１００の動作について、以下に説明する。図６は、本実施形態の管理サーバ１００の動作の一例を示すフローチャートである。以下、図１〜図６を用いて説明する。
管理サーバ１００において、基地局リスト受信部１５２が、小型基地局２００の電源導入後に小型基地局２００から送信される基地局リストをインタフェース部１５０を介して受信する（ステップＳ２０１のＹＥＳ）。そして管理リスト作成部１５４が、基地局リストに基づいて、監視対象の基地局２０２を決定し、管理リストを作成し、管理リスト記憶部１５６に記憶する（ステップＳ２０３）。そして、管理リスト送信部１５８が、管理リストをインタフェース部１５０を介して小型基地局２００に送信する（ステップＳ２０５）。
【００７９】
続いて、通知情報受信部１６０が、小型基地局２００から通知情報をインタフェース部１５０を介して受信すると（ステップＳ２０７のＹＥＳ）、当該小型基地局２００に所定回数、監視要求指示をインタフェース部１５０を介して送信する（ステップＳ２０９）。さらに、通知情報受信部１６０が、通知情報に基づいて、出現または消失した基地局２０２の電波レベルを判定基準として設定し、判定情報記憶部１６１に記憶する（ステップＳ２１１）。
【００８０】
所定回数、送信した監視要求指示に呼応して小型基地局２００から、通知情報が送信され、通知情報受信部１６０が受信し、通知情報から得られる出現または消失した基地局２０２の電波レベルを判定基準と比較する。たとえば、電波レベルが判定基準の±５ｄＢｍ以内である場合（ステップＳ２１３のＹＥＳ）、移動判定部１６２は、小型基地局２００の設置場所が移動したと判定する（ステップＳ２１５）。そして、報知部１６４が、小型基地局２００の設置場所が移動したことを報知する（ステップＳ２１７）。電波レベルが判定基準の±５ｄＢｍ以内でない場合（ステップＳ２１３のＮＯ）、終了を終了する。
【００８１】
例として、図７（ａ）に示すように、はじめ、小型基地局２００が建物５ａに設置されていたとする。ここでは、小型基地局２００の周囲には、携帯電話の携帯通信網３に接続される基地局１および基地局２が存在している。小型基地局２００は、たとえば、インターネット７を介して携帯通信網３に接続でき、携帯通信網３の基地局として機能するものとする。
【００８２】
小型基地局２００は、周囲の基地局を探索し、基地局１および基地局の電波を受信し、基地局リストを作成し、管理サーバ１００に送信する。管理サーバ１００では、監視対象の基地局として基地局１と基地局２を含めて管理リストを作成し、小型基地局２００に送信する。小型基地局２００では、管理リストを受信し、管理リストに従って基地局２０２の監視をする。
【００８３】
そして、図７（ｂ）に示すように、小型基地局２００が建物５ａから他の建物５ｂに移動された場合、小型基地局２００の電源が再投入されるため、周囲の基地局を探索し、基地局３および基地局４の電波を受信し、基地局リストを作成し、管理サーバ１００に送信する。管理サーバ１００では、新たに基地局３と基地局４を管理リストに追加して小型基地局２００に監視要求指示を送信する。
【００８４】
小型基地局２００は、管理リストを受信して更新するとともに、監視要求に呼応して、監視対象の基地局２０２の電波レベルの監視を行い、その変化に基づき、出現または消失した基地局２０２を検出し、通知情報を作成して管理サーバ１００に送信する。この場合、基地局１と基地局２が消失し、基地局３と基地局４が出現した基地局２０２としてこれらの電波レベルとともに管理サーバ１００に通知される。
【００８５】
管理サーバ１００では、通知情報に基づいて、移動判定を行い、基地局２０２の設置場所の移動を検出し、報知部１６４が携帯通信網３の管理者などに報知する。
【００８６】
以上説明したように、本発明の実施の形態の無線通信システム１によれば、簡単な構成で、移動可能な小型基地局２００の設置場所の移動を検出でき、携帯通信網３の管理者などに迅速に報知できる。
【００８７】
（第２の実施の形態）
図８は、本発明の実施の形態に係る無線通信システム１の管理サーバ１００の要部構成を示す図である。本実施形態の管理サーバ１００は、上記実施の形態とは、さらに、携帯通信網３上の複数の小型基地局２００および複数の他の基地局２０２（以下、「基地局ｎ」、ｎ＝１、２、．．．、ｎと示す。）の相互の電波状態を監視し、監視される相互の電波状態の変化を検出し、変化が検出された相互の基地局ｎの位置関係が変動したと判断し、位置関係が変動したと判断された相互の基地局ｎを、たとえば、携帯通信網３の管理者に報知する構成を有する点で相違する。
【００８８】
具体的には、管理サーバ１００は、図２の構成に加え、信号受信部１１０と、受信データ分配部１１２と、複数の基地局データ処理部１２０（図では基地局１用の「基地局１データ処理部」、基地局２用の「基地局２データ処理部」、および基地局ｎ用の「基地局ｎデータ処理部」と示される）と、判定部１３０と、をさらに有する。
【００８９】
信号受信部１１０は、携帯通信網３上の複数の基地局ｎから相互の電波状態を示す情報を受信する。本実施形態において、各基地局ｎから、相互の電波状態を示す情報として図９に示されるデータＤ１が送信される。図９では、基地局１から送信されたデータの構造の一例を示している。
【００９０】
基地局１の識別情報である基地局１ＩＤと、基地局１が受信した他の基地局ｎ（基地局２〜基地局ｎ）の識別情報と、各他の基地局ｎの識別情報に関連付けられた受信電波レベルと、が含まれる。
【００９１】
図８に戻り、受信データ分配部１１２は、信号受信部１１０が受信した相互の受信電波レベルのデータＤ１（図９）を各基地局ｎ（基地局１、基地局２、・・・、基地局ｎ）ごとに分けて、各基地局ｎに対応する基地局データ処理部１２０に分配する。
【００９２】
各基地局データ処理部１２０は、各基地局ｎの受信電波レベルに基づいて、位置関係の変動の判断に用いるデータを算出し、判定部１３０に出力する。各基地局データ処理部１２０は、基地局データ分配部（図では基地局１用の「基地局１データ分配部」と示される）１２２と、各他の基地局ｎごとの基地局受信レベル処理部（図では基地局２用の「基地局２受信レベル処理部」、基地局３用の「基地局３受信レベル処理部」、および基地局ｎ用の「基地局ｎ受信レベル処理部」と示される）１２４と、基地局検出部（図では基地局１用の「基地局１出力部」と示される）１２６と、を有する。
【００９３】
基地局データ分配部１２２は、他の基地局ｎの受信電波レベルを各基地局ｎごとに振り分け、各他の基地局ｎに対応する基地局受信レベル処理部１２４に分配する。
【００９４】
各基地局受信レベル処理部１２４は、各基地局ｎの受信電波レベルに基づいて、位置関係の変動の判断に用いるデータを算出し、基地局検出部１２６に出力する。基地局受信レベル処理部１２４は、たとえば、判定部１３０が使用する所定の判断基準を記憶する基準記憶部（不図示）を有する。そして、基地局受信レベル処理部１２４は、監視される受信電波レベルの変化が判断基準の範囲外である基地局ｎを検出し、検出結果を出力する。
【００９５】
ここで、所定の判断基準は、システムに最適な状態の場合の受信電波レベルの範囲、たとえば、通常時の受信電波レベル±αｄＢｍとすることができる。配置基準は、相互の基地局ｎごとに設定することもできるし、所定のグループごとに設定してもよいし、システムで統一させてもよく、システムごとに最適な方法で対応すればよい。
【００９６】
さらに、基地局受信レベル処理部１２４は、信号受信部１１０が受信した複数の基地局ｎの相互の受信電波レベルの履歴を記憶する履歴記憶部（不図示）と、履歴記憶部に記憶された履歴を参照し、過去の相互の基地局ｎの受信電波レベルの変動に基づいて判断基準を算出し、基準記憶手部に記憶する算出部（不図示）と、を有する。
【００９７】
さらに、基地局受信レベル処理部１２４は、履歴記憶部に記憶された履歴を参照し、複数の基地局ｎの相互の受信電波レベルの所定期間にわたる移動平均値をそれぞれ算出する移動平均算出部を有する。
【００９８】
例として、基地局受信レベル処理部１２４は、互いに直列に接続される複数のシフトレジスタを有し、対象となる基地局ｎからの受信電波レベルを複数のシフトレジスタに順に入力する。基地局受信レベル処理部１２４は、現在の受信電波レベルの平均値を算出する現データ演算部（不図示）と、過去の受信電波レベルの傾向、例として平均値（Ｍ個のデータ）および標準偏差（σ）を算出する過去データ演算部（不図示）と、を有する。
【００９９】
現データ演算部は、入力側からＭ個のシフトレジスタ群（たとえば、一時間分）の出力データから、現在の受信電波レベルの平均値（Ｍ個のデータの平均値）を算出する。過去データ演算部は、所定の期間、たとえば、過去１週間の所定の時間帯の受信電波レベルを出力するＭ個のシフトレジスタ群から入力して過去の受信電波レベル平均値（Ｍ個のデータの平均値）を算出するとともに、さらに、標準偏差を算出する。基地局受信レベル処理部１２４は、過去の受信電波レベルの平均値±２σを判断基準として設定し、基準記憶部に記憶する。
【０１００】
基地局検出部１２６は、各基地局受信レベル処理部１２４からの出力を統合して判定部１３０に出力する。本実施形態において、基地局検出部１２６は、算出された相互の受信電波レベルの移動平均値に基づいて、相互の電波状態の変化を検出する。
【０１０１】
すなわち、基地局検出部１２６は、各他の基地局ｎに対応した基地局受信レベル処理部１２４から算出された現データ演算部で算出された現在の受信電波レベルの平均値が設定された判断基準の範囲内か否かを判定し、判断基準の範囲外の他の基地局ｎを検出する。
【０１０２】
そして、判断基準の範囲内の場合、受信電波レベルに変化はないと判断し、当該他の基地局ｎのフラグに０をセットする。判断基準の範囲外の場合、受信電波レベルが変化したと判断し、当該他の基地局ｎのフラグに１をセットする。
【０１０３】
判定部１３０は、互いに判断基準の範囲外であると検出された相互の基地局ｎについて、相互の基地局ｎの位置関係が変動したと判断し、相互の基地局ｎ中継装置の一方のみが判断基準の範囲外であると検出された相互の基地局ｎについては、相互の基地局ｎの位置関係は変動していないと判断する。
【０１０４】
本実施形態では、判定部１３０は、相互の基地局ｎのフラグの論理積を取り、結果が１の場合、位置関係が変動したと判断し、結果が０の場合、位置関係は変動していないと判断する。そして、判定部１３０は、位置関係が変動したと判断された相互の基地局ｎの情報を報知部１６４に出力する。
【０１０５】
本実施形態において、報知部１６４は、判定部１３０から相互の位置関係が変動した基地局ｎの情報を取得し、上記実施形態の移動判定部１６２から基地局ｎの設置場所の移動の判定結果を取得し、これらの情報を統合し、たとえば、論理和を取るなどして、報知することができる。
【０１０６】
判定部１３０からの判定結果は、判定に時間がかかるが、精度が高い。一方、移動判定部１６２からの判定結果は、判定が迅速に行える。
【０１０７】
以上説明したように、本実施形態の無線通信システム１では、これらの２つの判定結果を統合して判断することができるので、より信頼性の高い判断が可能となり、無線通信システム１の信頼性も向上する。
【０１０８】
以上、図面を参照して本発明の実施形態について述べたが、これらは本発明の例示であり、上記以外の様々な構成を採用することもできる。
【０１０９】
たとえば、本発明の小型基地局２００からの基地局２０２の監視結果を、屋外用基地局２０２が定義するサービスエリア内での受信電力センサとして活用することができる。管理サーバ１００において、小型基地局２００から報告される周囲の他の基地局２０２の受信電波レベルと、小型基地局２００が設置される場所の登録住所をマッピングし、小型基地局２００周辺のエリアに対する屋外用基地局２０２からの電波状態を把握することが可能となる。
【０１１０】
この構成によれば、携帯キャリアが毎日のように実施しているＬＡＮパトロールの変わりとすることが可能であり、ＬＡＮパトロールにかかるコストを削減できる。
【図面の簡単な説明】
【０１１１】
【図１】本発明の実施の形態に係る無線通信システムの構成を示すブロック図である。
【図２】図１の無線通信システムの小型基地局の構成を示す機能ブロック図である。
【図３】図１の無線通信システムの管理サーバの構成を示す機能ブロック図である。
【図４】図１の無線通信システムの小型基地局の電源投入時の動作の一例を示すフローチャートである。
【図５】図１の無線通信システムの小型基地局の監視動作の一例を示すフローチャートである。
【図６】図１の無線通信システムの管理サーバの動作の一例を示すフローチャートである。
【図７】本発明の実施の形態の無線通信システムにおける移動検知の動作を説明するための図である。
【図８】本発明の実施の形態の無線通信システムの管理サーバの要部構成を示す機能ブロック図である。
【図９】図８の管理サーバが基地局から受信するデータの構造の一例を示す図である。
【符号の説明】
【０１１２】
１  無線通信システム
３  携帯通信網
５  建物
７  インターネット
１００  管理サーバ
１０２  記憶装置
１０４  管理端末
１１０  信号受信部
１１２  受信データ分配部
１２０  基地局データ処理部
１２２  基地局データ分配部
１２４  基地局受信レベル処理部
１２６  基地局検出部
１３０  判定部
１５０  インタフェース部
１５２  基地局リスト受信部
１５４  管理リスト作成部
１５６  管理リスト記憶部
１５８  管理リスト送信部
１６０  通知情報受信部
１６１  判定情報記憶部
１６２  移動判定部
１６４  報知部
２００  小型基地局
２０２  基地局
２１０  アンテナ
２１２  無線通信部
２１４  タイマ
２１６  受信レベル取得部
２１８  レベル記憶部
２１９  指示受信部
２２０  インタフェース部
２２２  リスト送受信部
２２４  リスト記憶部
２３０  基準値記憶部
２３２  判定部
２３４  通知部
【図１】
2010028729.tif 000003
【図２】
2010028729.tif 000004
【図３】
2010028729.tif 000005
【図４】
2010028729.tif 000006
【図５】
2010028729.tif 000007
【図６】
2010028729.tif 000008
【図７】
2010028729.tif 000009
【図８】
2010028729.tif 000010
【図９】
2010028729.tif 000011